(57)【要約】      （修正有）【課題】カバー板と搬送ベルトとの間の隙間でのゴミ等の異物を咬み込み防止を図った咬み込み防止装置付き自転車用搬送コンベアを提供する。【解決手段】搬送ベルト１０の上方に搬送溝１２を有するカバー板１１を設ける。搬送溝１２の終端に咬み込み防止装置２０を設ける。咬み込み防止装置２０は、横軸２２により搬送コンベアのフレーム３に上方回動自在に設けた咬み込み防止プレート２１と、横軸２２より前側の咬み込み防止プレート２１に前方に突出させて設けたアーム２８と、該アーム２８の下方に設けた前記電動モータを停止させるモータ停止スイッチ２９とを設けて自転車用搬送コンベアを構成する。【選択図】図５
0003173040.tif 000002
【実用新案登録請求の範囲】
【請求項１】
階段Ｓの一側部に、階段Ｓの昇降方向と平行に自転車用搬送コンベア１を配設し、該搬送コンベア１は、下階の従動車と上階の駆動車との間にモータ１３により駆動回転する搬送ベルト１０を掛け回し、該搬送ベルト１０の上方に搬送溝１２を有するカバー板１１を設けて構成し、前記搬送溝１２の終端には咬み込み防止装置２０を設け、咬み込み防止装置２０は、横軸２２により前記搬送コンベア１のフレーム３に上方回動自在に設けた咬み込み防止プレート２１と、前記横軸２２より前側の咬み込み防止プレート２１に前方に突出させて設けたアーム２８と、該アーム２８の下方に設けた前記電動モータ１３を停止させるモータ停止スイッチ２９とを設けて構成した自転車用搬送コンベア。
【請求項２】
請求項１において、前記咬み込み防止プレート２１は、横軸２２よりも後側所定の部位から後側部分を、後方至るに従い低くなる傾斜面２５に形成すると共に、前記フレーム３に設けたストッパ２６により前記搬送ベルト１０より所定位置の上方に位置させ、かつ、咬み込み防止プレート２１の後端位置を、前記駆動プーリー４の軸心上方と略同じかやや前寄りに配置させる構成とした自転車用搬送コンベア。
【考案の詳細な説明】
【技術分野】
【０００１】
本考案は、自転車用搬送コンベアに係るものである。
【背景技術】
【０００２】
従来、例えば地下駐輪場において、上階と下階を結ぶ階段の一側に自転車用ベルト式搬送コンベアが使用されており、これは、下階に軸支された従動プーリーと、中間の踊り場に軸支された駆動プーリーとに無端ベルトを掛け回した構成は、公知である（特許文献１）。
【先行技術文献】
【特許文献】
【０００３】
【特許文献１】実用新案登録第３１４９５５８号公報
【考案の概要】
【考案が解決しようとする課題】
【０００４】
前記公知例は、搬送ベルトの上方に搬送溝を有するカバー板を設けているので、搬送溝の終端では、カバー板と搬送ベルトとの間の隙間にゴミ等の異物を咬み込むという課題がある。
本願は、搬送コンベアの終端にゴミ等の異物を咬み込むのを防止する咬み込み防止装置を設けたものである。
【課題を解決するための手段】
【０００５】
本考案は、階段Ｓの一側部に、階段Ｓの昇降方向と平行に自転車用搬送コンベア１を配設し、該搬送コンベア１は、下階の従動車と上階の駆動車との間にモータ１３により駆動回転する搬送ベルト１０を掛け回し、該搬送ベルト１０の上方に搬送溝１２を有するカバー板１１を設けて構成し、前記搬送溝１２の終端には咬み込み防止装置２０を設け、咬み込み防止装置２０は、横軸２２により前記搬送コンベア１のフレーム３に上方回動自在に設けた咬み込み防止プレート２１と、前記横軸２２より前側の咬み込み防止プレート２１に前方に突出させて設けたアーム２８と、該アーム２８の下方に設けた前記電動モータ１３を停止させるモータ停止スイッチ２９とを設けて構成した自転車用搬送コンベアとしたものである。
本考案は、前記咬み込み防止プレート２１は、横軸２２よりも後側所定の部位から後側部分を、後方至るに従い低くなる傾斜面２５に形成すると共に、前記フレーム３に設けたストッパ２６により前記搬送ベルト１０より所定位置の上方に位置させ、かつ、咬み込み防止プレート２１の後端位置を、前記駆動プーリー４の軸心上方と略同じかやや前寄りに配置させる構成とした自転車用搬送コンベアとしたものである。
【考案の効果】
【０００６】
請求項１の考案では、ゴミ等の異物が搬送ベルト１０により搬送されても、咬み込み防止プレート２１の後端に異物が当たると、咬み込み防止プレート２１の後端を上方回動させ、咬み込み防止プレート２１の上方回動によりアーム２８がモータ停止スイッチ２９に接触して、電動モータ１３への通電を切りにし、搬送ベルト１０の走行を停止させて、咬み込みを防止することができる。
請求項２の考案では、咬み込み防止装置２０の咬み込み防止プレート２１の後端は駆動プーリー４の軸心と略同じかやや前寄りの搬送ベルト１０より所定位置の上方に位置しているので、ゴミ等の異物の接触による咬み込み防止プレート２１の上方回動させる感知精度を向上させることができ、咬み込み防止装置２０の作動精度を向上させて、異物の咬み込みを防止できる。
【図面の簡単な説明】
【０００７】
【図１】自転車用搬送コンベアの平面図。
【図２】同側面図。
【図３】自転車用搬送コンベアの終端部分の平面図。
【図４】同側面図。
【図５】咬み込み防止装置の側面図。
【図６】同平面図。
【考案を実施するための形態】
【０００８】
本考案の実施例を図により説明する。図１において、階段Ｓの一側部に、自転車用搬送コンベア１を、階段Ｓの昇降方向と平行に配設する。
搬送コンベア１は、上階Ｕのピット２内に設置された駆動側フレーム３に駆動プーリー４を軸受５を介して回転自在に軸支し、又下階Ｄのピット６内に設置された従動側フレーム７に従動プーリー８（図２）を回転自在に軸支し、これら駆動プーリー４と従動プーリー８に、無端の搬送ベルト１０（図５）を掛け回す。
【０００９】
搬送ベルト１０の走行路は、上階Ｕと下階Ｄとの間に形成されていればよく、図示は省略するが、途中に踊り場を設けても良い。
前記搬送ベルト１０の上面には、搬送ベルト１０の上面と略平行に位置するカバー板１１（図５）を、該搬送ベルト１０上面に対して所定間隔をあけた状態で設ける。カバー板１１には、搬送ベルト１０を露出させて自転車の搬送路を形成する搬送溝１２を設ける。搬送溝１２は、前記搬送ベルト１０より横幅が狭く且つ自転車タイヤよりも横幅を広く形成する。
【００１０】
１３は電動モータ、１４は電動モータ１３の回転を減速する減速機構である。
搬送溝１２の終端には、咬み込み防止装置２０を設ける。咬み込み防止装置２０は、前後方向の咬み込み防止プレート２１を回動自在に横軸２２により前記搬送コンベア１のフレーム３に取付ける。咬み込み防止プレート２１は横軸２２より後側所定の部位から後側部分を、後方至るに従い低くなる傾斜面２５に形成する。咬み込み防止プレート２１は、その後端がストッパ２６により搬送ベルト１０より所定位置の上方に位置させる。
この場合、咬み込み防止プレート２１の後端は、前記駆動プーリー４の軸心と略同じかやや前寄りに位置させる。
したがって、ゴミ等異物が咬み込み防止プレート２１の後端に当接すると、咬み込み防止プレート２１の後端は上方回動する。
【００１１】
横軸２２より前側の咬み込み防止プレート２１には、前方に突出するアーム２８を設け、アーム２８の下方にはモータ停止スイッチ２９を設ける。モータ停止スイッチ２９はアーム２８が接触すると、電動モータ１３を停止させ、搬送ベルト１０の走行を停止させて、咬み込みを防止する。
【００１２】
（実施例の作用）
自転車運転者が下階Ｄにおいて、自転車のハンドルを握りつつ、２輪を搬送溝１２に入れて走行する搬送ベルト１０上にのせ、前輪にブレーキを掛けると、自転車は搬送ベルト１０により搬送されるので、運転者は前輪にブレーキを掛けながら階段Ｓを上っていく。
運転者が上階Ｕに至り、搬送ベルト１０上の自転車が搬送ベルト１０の終端に至る。
【００１３】
搬送ベルト１０の終端の搬送溝１２には咬み込み防止装置２０を設け、咬み込み防止装置２０は、前後方向の咬み込み防止プレート２１を回動自在に横軸２２により搬送コンベア１のフレーム３に取付け、横軸２２より前側の咬み込み防止プレート２１には前方に突出するアーム２８を設け、アーム２８の下方にはモータ停止スイッチ２９を設けて構成しているので、搬送溝１２の終端まで搬送された自転車の前輪は咬み込み防止装置２０の咬み込み防止プレート２１の後端に乗り上げ、続いて、自転車の後輪が咬み込み防止プレート２１の後端に乗り上げ、自転車の搬送を終了する。
この場合、咬み込み防止装置２０の咬み込み防止プレート２１は、咬み込み防止プレート２１の後端が搬送ベルト１０より所定位置の上方に位置するように、ストッパ２６の上面に係合させているが、横軸２２によりフレーム３に対して上方回動自在に取付けているので、ゴミ等の異物が搬送ベルト１０により搬送されても、咬み込み防止プレート２１の後端に異物が当たると、咬み込み防止プレート２１の後端を上方回動させる。
【００１４】
横軸２２より前側の咬み込み防止プレート２１には前方に突出するアーム２８を設け、アーム２８の下方にはモータ停止スイッチ２９を設けて構成しているので、異物が当たると、直ぐに、咬み込み防止プレート２１の後端は上方回動し、咬み込み防止プレート２１の前側のアーム２８はモータ停止スイッチ２９に接触し、電動モータ１３への通電を切りにし、搬送ベルト１０の走行を停止させて、咬み込みを防止する。
この場合、咬み込み防止プレート２１は自重でストッパ２６上に載置された状態となるように、咬み込み防止プレート２１の質量とストッパ２６の位置とを設定しているので、軽いゴミ等の異物でも、咬み込み防止プレート２１の後端を上方回動させて、咬み込み防止する。
【００１５】
このように、カバー板１１の搬送溝１２の終端と搬送ベルト１０の終端との間の隙間の前には、咬み込み防止装置２０があるので、ゴミ等の異物が咬み込み防止プレート２１の後端に当たって咬み込み防止プレート２１を上方回動させると、アーム２８がモータ停止スイッチ２９に接触して、電動モータ１３への通電を切りにし、搬送ベルト１０の走行を停止させて、咬み込みを防止する。
本願における上記「搬送ベルト１０」には、ゴムベルト、金属ベルト、金属ネットその他種々の屈撓性帯状体が含まれる。
【符号の説明】
【００１６】
１…搬送コンベア、２…ピット、３…フレーム、４…駆動プーリー、５…軸受、６…ピット、７…フレーム、８…従動プーリー、９…軸受、１０…搬送ベルト、１１…カバー板、１２…搬送溝、１３…電動モータ、１４…減速機構、２０…咬み込み防止装置、２１…咬み込み防止プレート、２２…横軸、２５…傾斜面、２６…ストッパ、２８…アーム、２９…モータ停止スイッチ、Ｄ…下階、Ｓ…階段、Ｕ…上階。
【図１】
0003173040.tif 000003
【図２】
0003173040.tif 000004
【図３】
0003173040.tif 000005
【図４】
0003173040.tif 000006
【図５】
0003173040.tif 000007
【図６】
0003173040.tif 000008